(57)【特許請求の範囲】
【請求項１】
まつげに接着剤を含む人工まつげを重ねて位置させ、接着剤に熱を加えてまつげに人工まつげを付着するまつげエクステ付着器具において、
中空、かつ、把持可能な形態に形成された本体と、
前記本体の一端に形成され、かつ、前記人工まつげを支持する支持台と、
前記支持台を取り囲むように形成され、かつ、前記まつげ及び前記人工まつげをグリップする内グリップと、
前記内グリップを取り囲むように形成され、かつ、前記内グリップによりグリップされている前記まつげ及び前記人工まつげをさらにグリップし、かつ、前記人工まつげに含まれた前記接着剤に熱を加える外グリップと、
前記本体の外部に摺動自在に結合し、移動によって前記内グリップを先に作動させ、次いで、前記外グリップを作動させる操作部と、
を含むことを特徴とするまつげエクステ付着器具。
【請求項２】
前記内グリップは、
前記本体に形成された上突起に回転可能に結合する回転ホールを含む上内グリップと、
前記本体に形成された下突起に回転可能に結合する回転ホールを含む下内グリップと、
前記上内グリップの一端に形成される内グリップレバーと、
前記上内グリップと前記下内グリップとの接触部のそれぞれに形成される内グリップギアと、を含み、前記内グリップレバーは、前記操作部の前進と連動して前記上内グリップ及び前記下内グリップが互いに閉まる方向に回転することを特徴とする請求項１に記載のまつげエクステ付着器具。
【請求項３】
前記上内グリップと本体との間、または上内グリップと下内グリップとの間に回転バネをさらに含み、前記回転バネは、操作がない場合、前記上内グリップと前記下内グリップを開状態に保持することを特徴とする請求項２に記載のまつげエクステ付着器具。
【請求項４】
前記外グリップは、
前記本体に形成された上突起に回転可能に結合する回転ホールを含む上外グリップと、
前記本体に形成された下突起に回転可能に結合する回転ホールを含む下外グリップと、
前記上外グリップの一端に形成される外グリップレバーと、
前記上外グリップと前記下外グリップとの接触部のそれぞれに形成される外グリップギアと、を含み、前記外グリップレバーは、前記操作部の前進と連動して前記上外グリップ及び前記下外グリップが互いに閉まる方向に回転することを特徴とする請求項３に記載のまつげエクステ付着器具。
【請求項５】
前記上外グリップと本体との間、または前記上外グリップと前記下外グリップとの間に回転バネをさらに含み、前記回転バネは、操作がない場合、前記上外グリップと前記下外グリップを開状態を保持することを特徴とする請求項４に記載のまつげエクステ付着器具。
【請求項６】
前記内グリップギアと前記外グリップギアは、複数のギアを含み、突起の長手方向の外側に前記外グリップギアが位置し、前記突起の長手方向の内側に前記内グリップギアが位置することを特徴とする請求項４に記載のまつげエクステ付着器具。
【請求項７】
前記操作部は、上加圧部と下加圧部とを含み、前記上加圧部が前記外グリップレバーと接触し、前記下加圧部が前記内グリップレバーと接触することを特徴とする請求項４に記載のまつげエクステ付着器具。
【請求項８】
前記操作部が前進した場合、前記下加圧部が前記内グリップレバーと接触した後、前記上加圧部が前記外グリップレバーと接触することを特徴とする請求項７に記載のまつげエクステ付着器具。
【請求項９】
前記下加圧部は、内グリップレバーがこれ以上回転しない場合には変形し、前記内グリップのグリップ力を増加させることを特徴とする請求項８に記載のまつげエクステ付着器具。
【発明の詳細な説明】
【技術分野】
【０００１】
本発明は、まつげエクステ付着器具に係り、より詳細には、まつげエクステを簡便かつ正確に付着することができるまつげエクステ付着器具に関する。
【背景技術】
【０００２】
美容的な側面において、まつげは、非常に重要な役割を果たす。特に、女性は、長くかつ上にカールしたまつげを好む。このようなまつ毛を形作るために、通常、マスカラが用いられる。
【０００３】
前記マスカラは、まつげを所望の形態に形作り、かつ、該まつげに黒色の化粧をするように機能する。マスカラは、まつげ化粧に最も便利であるので、広く利用されている。
【０００４】
マスカラは、基本的に長いまつげをより美麗なまつげに作り上げるのに用いられる。他方、まつげが短い場合には、つけまつげを付着して美容性を向上させる方法が利用される。
【０００５】
前記つけまつげは、まつげ部とベース部とからなり、ユーザは、接着剤を前記ベース部に塗布した後、つけまつげをまぶたに付着する。
【０００６】
前記のようなつけまつげは、ユーザが直接精巧にまぶたに付着しなければならないので、ユーザが熟練していない場合には、付着に長時間かかり、非常に不便である。前記のような問題を克服するために、特許文献１には、まつげを容易に付着することができる付着用具が提案されている。
【０００７】
前記のようなつけまつげは、美容性の向上に優れている。しかしながら、つけまつげは使い捨てなので、必要な場合、常に新たなつけまつげを用いなければならない。また、ユーザが外部にいる場合には、ユーザは、前記つけまつげを携帯しなければならない。
【０００８】
一方、ユーザのまつげが短い場合、前記つけまつげだけでなく、まつげ延長術も用いられる。前記まつげ延長術は、通常、皮膚管理ショップまたは美容室で施術されるものであって、幾つかのまつげに拡張用まつげ（以下、まつげエクステと称する）を接着剤を介して付着するものである。前記まつげ延長術は、長いまつげを形作ることができるとともに、一回の施術の後、数ヶ月程度保持されるので、広く用いられている。まつげエクステを付着する方法に関して多数の先行技術が提案されている。
【０００９】
例えば、特許文献２には、特定の波長の光で作用する接着剤を用いてまつげを延長する方法が開示されている。前記方法は、特定の波長の光で接着剤が機能するので、接着剤を利用した作業を簡便にするという長所がある。
【００１０】
また、特許文献３には、まつげのパーマ方法が開示されている。
【００１１】
前記のパーマ方法は、まつげエクステを付着し、まつげ全体をセッティングすることにより行われる。ユーザは前記パーマ以後に単純にマスカラを用いて黒色化粧のみすれば良いので、まつげの化粧時間が短縮され、また、一回の施術でその形態が比較的長期間保持されるとの利点がある。
【００１２】
前記のような延長術は、まつげが短い場合、美容性を向上させるという非常に優れた長所がある。しかしながら、各延長術は手作業で行われるので、施術には長い時間を要する。また、前記延長術は、ショップで施術される必要があるので、個人が直接施術することができないという短所がある。
【００１３】
このため、まつげ延長術の迅速化と個人の直接施術の実現とを両立する新たな付着器具が切望されている。
【００１４】
この点に鑑みて、本出願人は、まつげエクステ付着器具の特許出願をしている（特許文献４参照）。
【００１５】
当該特許出願は、まつげエクステの施術のための最初の出願としての基本的な構成を提案しており、ほとんどの場合に効率的に作動するという長所がある。しかしながら、連続使用時に、一部の人工まつげに付着された接着剤が付着器具に接着することにより、施術が妨害されるおそれがあった。
【００１６】
したがって、付着器具の作動の正確性の向上と商品性の改善とのため、従来の方式にグリップ構造を追加した付着器具が求められている。
【先行技術文献】
【特許文献】
【００１７】
【特許文献１】韓国実用新案登録第１６５４５２号公報
【特許文献２】特開第２０１１−８７６５８号公報
【特許文献３】韓国公開特許第２００５−９４９７３号公報
【特許文献４】韓国特許出願第２０１２−０００３５３７号（まつげエクステ付着器具、２０１２年１月１１日）
【発明の概要】
【発明が解決しようとする課題】
【００１８】
本発明は、前記のようなまつげ延長術の短所を克服するために案出されたものであって、接着剤が塗布されたまつげエクステを既存のまつげに便利かつ迅速に付着し、また、施術の正確性が保証される新たな形態のまつげエクステ付着器具を提供することをその目的とする。
【課題を解決するための手段】
【００１９】
前記目的を果たすために、本発明は、まつげに接着剤を含む人工まつげを重ねて位置させ、接着剤に熱を加えてまつげに人工まつげを付着するまつげエクステ付着器具において、中空、かつ、把持可能な形態に形成された本体と、前記本体の一端に形成され、かつ、前記人工まつげを支持する支持台と、前記支持台を取り囲むように形成され、かつ、前記まつげ及び前記人工まつげをグリップする内グリップと、前記内グリップを取り囲むように形成され、かつ、内グリップによりグリップされている前記まつげ及び前記人工まつげをさらにグリップし、かつ、前記人工まつげに含まれた前記接着剤に熱を加える外グリップと、前記本体の外部に摺動自在に結合し、移動によって前記内グリップを先に作動させ、次いで、前記外グリップを作動させる操作部と、を含むことを特徴とする。
【００２０】
望ましくは、前記内グリップは、前記本体に形成された上突起に回転可能に結合する回転ホールを含む上内グリップと、前記本体に形成された下突起に回転可能に結合する回転ホールを含む下内グリップと、前記上内グリップの一端に形成される内グリップレバーと、前記上内グリップと前記下内グリップとの接触部のそれぞれに形成される内グリップギアと、を含み、前記内グリップレバーは、前記操作部の前進と連動して前記上内グリップ及び前記下内グリップが互いに閉まる方向に回転することを特徴とする。
【００２１】
さらに望ましくは、前記上内グリップと本体との間、または上内グリップと下内グリップとの間に回転バネをさらに含み、前記回転バネは、操作がない場合、前記上内グリップと下内グリップを開状態に保持することを特徴とする。
【００２２】
さらに望ましくは、前記外グリップは、前記本体に形成された上突起に回転可能に結合する回転ホールを含む上外グリップと、前記本体に形成された下突起に回転可能に結合する回転ホールを含む下外グリップと、前記上外グリップの一端に形成される外グリップレバーと、前記上外グリップと前記下外グリップとの接触部のそれぞれに形成される外グリップギアと、を含み、前記外グリップレバーは、前記操作部の前進と連動して前記上外グリップ及び前記下外グリップが互いに閉まる方向に回転することを特徴とする。
【００２３】
さらに望ましくは、前記上外グリップと本体との間、または前記上外グリップと前記下外グリップとの間に回転バネをさらに含み、前記回転バネは、操作がない場合、前記上外グリップと下外グリップを開状態を保持することを特徴とする。
【００２４】
望ましくは、前記内グリップギア及び前記外グリップギアは、複数のギアを含み、突起の長手方向の外側に前記外グリップギアが位置し、前記突起の長手方向の内側に前記内グリップギアが位置することを特徴とする。
【００２５】
望ましくは、前記操作部は、上加圧部と下加圧部とを含み、前記上加圧部が前記外グリップレバーと接触し、前記下加圧部が前記内グリップレバーと接触することを特徴とする。
【００２６】
さらに望ましくは、前記操作部が前進した場合、前記下加圧部が前記内グリップレバーと接触した後、前記上加圧部が前記外グリップレバーと接触することを特徴とする。
【００２７】
さらに望ましくは、前記下加圧部は、内グリップレバーがこれ以上回転しない場合には変形し、前記内グリップのグリップ力を増加させることを特徴とする。
【発明の効果】
【００３１】
本発明によるまつげエクステ付着器具は、従来、手作業行っていたまつげエクステ施術を簡単な操作で行うことができるので、まつげ延長術を迅速化できる。そして、本発明のまつげエクステ付着器具は、個人の直接まつげ延長術の簡便な施術を可能とし、また、正確な作動を保証する。この結果、本発明のまつげエクステ付着器具は、まつげ延長術の時間を短縮し、さらに商品性を向上させる。
【図面の簡単な説明】
【００３２】
【図１】本発明によるまつげエクステ付着器具の正面図である。
【図２】図１の内グリップの構成を示す説明図である。
【図３】図２の内グリップの閉状態を示す説明図である。
【図４】図１の外グリップの構成を示す説明図である。
【図５】図１の内グリップと外グリップとの配置状態を説明する平面図である。
【図６】図１の外グリップレバーと内グリップレバーとの配置を説明する構成図である。
【図７】図１の操作部の構成を説明する構成図である。
【図８】図１の操作部の移動による内グリップ及び外グリップの作動状態を説明する構成図である。
【図９】図１の操作部の移動による内グリップ及び外グリップのさらに他の作動状態を説明する構成図である。
【図１０】図１の操作部の移動による内グリップ及び外グリップのさらに他の作動状態を説明する構成図である。
【図１１】図１の下内グリップのさらに他の構成を説明する正面図である。
【図１２】図１の人工まつげの保持構造を説明する構成図である。
【発明を実施するための形態】
【００３３】
以下、本発明を添付した図面を参照して具体的に説明する。
【００３４】
本発明によるまつげエクステ付着器具１００は、図１に示したように、本体１０、支持台２０、内グリップ３０、外グリップ５０、操作部６０を含んで構成される。
【００３５】
まず、前記本体１０は、内部に空間が形成され、前記空間に各種部材が配置されている。本体１０には、発熱のための電源コード１１が連結されている。必要に応じて、本体１０の内部にバッテリが内蔵されることにより、本体１０が充電構造を有してもよい。
【００３６】
前記本体１０の形状は、把持が可能な形状であれば、いかなる形状であってもよい。本体１０の一端には、支持台２０が位置している。
【００３７】
前記支持台２０には、延長対象のまつげ１（天然まつげ）が位置している。また、接着剤３が塗布された人工まつげ２が、前記まつげ１と重ねられて配置されている。
【００３８】
前記本体１０は、その内部に、図２に示したように、上内グリップ３１と下内グリップ３２とで構成される内グリップ３０と前記内グリップ３０の連動のための連動部材とを含む。
【００３９】
まず、前記上内グリップ３１の適当な箇所に、回転ホール３３が形成され、前記本体１０の内部に形成された円筒状の上突起１２が、前記回転ホール３３に回転可能に固定される。
【００４０】
前記上内グリップ３１は前記回転ホール３３回りに回転する。回転ホール３３の左側は、まつげを固定する役割を果たし、回転ホール３３の右側には、内グリップレバー３４が形成されている。
【００４１】
一方、前記下内グリップ３２の適当な箇所に、回転ホール３５が形成される。前記本体１０の内部に形成された円筒状の下突起１３は、前記回転ホール３５に回転可能に固定される。
【００４２】
前記下突起１３は、前記上突起１２と同じサイズを有する。
【００４３】
前記上内グリップ３１及び前記下内グリップ３２は、前記支持台２０を基準に同じ動作を行うように実装されなければならないので、前記回転ホール３３と回転ホール３５は、前記支持台２０を基準に上下同じ所に位置し、前記上突起１２及び下突起１３も同じ所に位置する。
【００４４】
また、上内グリップ３１と下内グリップ３２は、回転ホール３３及び回転ホール３５の左側部分が前記支持台２０を基準に対称形状を有するように構成されている。
【００４５】
また、前記上内グリップ３１と下内グリップ３２の一端には、それぞれ内グリップギア４１、４２が形成され、前記内グリップギア４１、４２は相互に係合している。
【００４６】
それぞれの前記内グリップギア４１、４２は、前記上突起１２及び下突起１３の軸方向に形成されることが望ましい。
【００４７】
したがって、前記上内グリップ３１が回転ホール３３を中心に回転する場合、前記下内グリップ３２も逆方向に同じ回転角度で回転する。
【００４８】
また、前記上内グリップ３１は、その適当な箇所において、前記本体１０または下内グリップ３２と内グリップバネ４３を介して連結され、荷重が加えていない状態では開状態を保持する。前記内グリップバネ４３は、必要に応じて、上内グリップ３１及び下内グリップ３２のそれぞれに設けられ、それらと本体１０とを連結するように構成されうる。
【００４９】
前記上内グリップ３１に形成された内グリップレバー３４に荷重が加えられると、前記上内グリップ３１は、図３に示したように、閉まる方向に回転する。
【００５０】
一方、外グリップ５０は、前記内グリップ３０と同じ構造であるが、サイズが異なる。
【００５１】
図４に示したように、外グリップ５０は、前記内グリップ３０を取り囲むように構成され、上外グリップ５１及び下外グリップ５２からなる。
【００５２】
前記上外グリップ５１の一側に回転ホール５３が形成され、前記上突起１２が、前記回転ホール５３に回転可能に固定される。
【００５３】
また、前記上外グリップ５１の右側に、外部部材による荷重を支持する外グリップレバー５４が形成され、前記上外グリップ５１の左側は、グリップ可能な形状に構成される。
【００５４】
また、前記下外グリップ５２の適当な箇所に回転ホール５５が形成され、前記下外グリップ５２の左側は、前記上外グリップ５１と同一形態のグリップ可能な形状に形成される。
【００５５】
また、前記下突起１３が前記回転ホール５５と結合することにより、前記下外グリップ５２は、前記下突起１３を中心に回転自在に本体１０に結合する。
【００５６】
前記上外グリップ５１と下外グリップ５２との右側端部には、互いに係合する外グリップギア４４、４５が形成されている。上外グリップ５１が回転すると、前記外グリップギア４４、４５の作用によって下外グリップ５２も回転する。
【００５７】
また、外グリップバネ４６は、前記上外グリップ５１と本体１０との間、または上外グリップ５１と下外グリップ５２との間に位置しており、外グリップ５０に荷重が加えられていない状態では、開状態に維持する。
【００５８】
必要に応じて、前記下外グリップ５２と本体１０との間にも外グリップバネ４６を追加して、バネ力を増加させることもできる。
【００５９】
一方、前記上突起１２には、上内グリップ３１及び上外グリップ５１の両方が回転可能に固定される。図５のように示されるように、上内グリップ３１及び上外グリップ５１を、その幅を適切に調節して配置することにより、２つの要素が同時に回転可能に固定される。
【００６０】
もちろん、下内グリップ３２及び下外グリップ５２も、前記上突起１１と同じ方式で下突起１２に関して配置される。
【００６１】
一方、前記内グリップレバー３４と外グリップレバー５４とに荷重を加えると、前記内グリップ３０と外グリップ５０とは閉状態となる。また、内グリップ３０が先に閉まった後に外グリップ５０が閉まるので、前記内グリップレバー３４と外グリップレバー５４は、図６に示されたように配置する。
【００６２】
換言すれば、内グリップレバー３４を外グリップレバー５４よりも長く、かつ、左側にさらに傾斜させて形成することが望ましい。
【００６３】
一方、前記操作部６０は、支持台２０の方向に摺動自在に前記本体１０の外部に設けられており、これに追加して、図７に示したように、本体１０とバネ６１で連結されている。
【００６４】
操作部６０を前記支持台２０の方向に移動させるために荷重が加えられると、前記バネ６１は圧縮力を生成する。これと対照的に、荷重が除去されると、前記バネ６１は、初期位置に前記操作部６０を戻す役割を果たす。
【００６５】
また、前記操作部６０は、上加圧部６２と下加圧部６３とを含む。前記下加圧部６３は上加圧部６２よりも長く形成されている。また、前記下加圧部６３は、部分的に屈曲可能な形態を有する。
【００６６】
ここで、前記上加圧部６２は、外グリップレバー５４と接触しているとき、外グリップ５０が閉まるように作動させる役割を果たす。前記下加圧部６３は、前記内グリップレバー３４と接触しているとき、前記内グリップ３０が閉まるように作動させる役割を果たす。
【００６７】
図８ないし図１０に示したように、前記操作部６０が支持台２０の方向に移動すれば、まず、下加圧部６３が前記内グリップレバー３４と接触して、内グリップ３０を閉じるように作動させる。前記操作部６０が前進し続ければ、前記上加圧部６２が外グリップレバー５４と接触して、外グリップ５０を閉じるように作動させる。
【００６８】
この際、操作部６０が移動を続ければ、内グリップ３０が先に完全に閉まってまつげ１を固定する。以後、外グリップ５０が完全に閉まったのち、まつげ１と人工まつげ２との間の接着剤に熱を加え、まつげ１と人工まつげ２とを付着させる。
【００６９】
この場合、前記下加圧部６３は、部分的に変形してまつげ１のグリップ力を増加させる。この後、操作部６０に荷重を除去すれば、操作部６０、内グリップ３０及び外グリップ５０が初期状態に戻る。
【００７０】
一方、図１１に示したように、突出部４９が、下外グリップ５２または下内グリップ３２の一つの面に形成されうる。
【００７１】
人工まつげ２は多数の糸から形成されているので、図１２に示したように、固定体４によって固定される。前記固定体４は、上部材５と下部材６とを含む。前記上部材５と下部材６との間に接着剤３を含む人工まつげ２が位置する。前記上部材５と下部材６とは、延長施術後には分離されなければならない。この際、前記突出部４９が、上部材５と下部材６とを分離させる。
【００７２】
前記固定体４の底面は、必要に応じて、前記支持台２０に固定されるように構成される。例えば、前記固定体４の底面は、摺動形態（摺動可能な形態）、または突起などによる圧入（プレス嵌め、press-fitting）形態の結合構造を有するように形成される。また、前記上部材５も、前記下部材６と突起などで圧入結合する場合、前記上部材５の一つの面を突出させれば、前記突出部４９の作用によって、前記上部材５が前記下部材６から分離され、結果的に、人工まつげ２は、前記固定体４から分離される。
【００７３】
この際、下部材６と支持台２０との結合力が上部材５と下部材６との結合力よりも大きくなったときに、的確に分離される。
【００７４】
以上、本発明を特定の望ましい実施形態について図示し、説明したが、本発明は、このような実施形態に限定されず、当業者が特許請求の範囲で請求する本発明の技術的思想を外れない範囲内で実施することができる多様な形態の実施形態をいずれも含む。
【産業上の利用可能性】
【００７５】
本発明は、まつげエクステ付着器具関連の分野に適用可能である。
【符号の説明】
【００７６】
１‥（天然）まつげ、２‥つけまつげ、３‥接着剤、４‥固定体、５‥上部材、６‥下部材、１０‥本体、１１‥電源コード、１２‥上突起、１３‥下突起、２０‥支持台、３０‥内グリップ、３１‥上内グリップ、３２‥下内グリップ、３３‥回転ホール、３４‥内グリップレバー、３５‥回転ホール、４１，４２‥内グリップギア、４３‥内グリップバネ、４４，４５‥外グリップギア、４６‥外グリップバネ、５０‥外グリップ、５１‥上外グリップ、５２‥下外グリップ、５３‥回転ホール、５４‥外グリップレバー、５５‥回転ホール、６０‥操作部、６１‥バネ、６２‥上加圧部、６３‥下加圧部、１００‥まつげエクステ付着器具。
【図１】
0005923722.tif 000002
【図２】
0005923722.tif 000003
【図３】
0005923722.tif 000004
【図４】
0005923722.tif 000005
【図５】
0005923722.tif 000006
【図６】
0005923722.tif 000007
【図７】
0005923722.tif 000008
【図８】
0005923722.tif 000009
【図９】
0005923722.tif 000010
【図１０】
0005923722.tif 000011
【図１１】
0005923722.tif 000012
【図１２】
0005923722.tif 000013